(57)【要約】【課題】  磁気ディスクに書き込まれた情報を、簡単にかつ確実に読み出しできないようにする。【解決手段】  磁気ディスク１０１に情報を書込み、かつ読み出す磁気ヘッド２０６を、回転している磁気ディスク１０１の表面に強制的に圧接する手段を備えて、データ記録領域の磁性記録層に機械的な損傷を与えると共に、磁気ディスク１０１の磁気ヘッド２０６と接触する部位を摩擦熱によって発熱させて磁気消去作用を生じさせることでデータ記録領域の磁性記録層を機械的かつ物理的に破壊して、情報の読み出しができないようにする。【選択図】  図４
2005158170.tif 000002
【特許請求の範囲】
【請求項１】
磁性記録層が設けられた磁気ディスクと、
この磁気ディスクを回転駆動する磁気ディスク駆動手段と、
前記ディスクの表面に対して所定間隔おいて対峙され、前記磁性記録層へ情報の書込みを行い、書き込まれた情報を読み出す磁気へッドと、
前記磁気ディスクが前記磁気ディスク駆動手段によって回転駆動されている状態において、前記磁気ディスク表面に接触し、前記磁性記録層に対して損傷を与える損傷付与手段と、
を具備したことを特徴とする磁気ディスク装置。
【請求項２】
前記損傷付与手段は、前記磁気ヘッドを前記磁気ディスクの表面に所定の力で圧接させる磁気ヘッド変移手段でなることを特徴とする請求項１に記載の磁気ディスク装置。
【請求項３】
前記磁気ヘッド変移手段は、前記磁気ヘッドが取り付けられるアームを支持する軸の前記磁気ディスク表面に対する角度を変更させる軸変移手段でなることを特徴とする請求項２に記載の磁気ヘッド装置。
【請求項４】
前記磁気ヘッド変移手段は、前記磁気ヘッドが取り付けられるアームを前記磁気ディスクの表面方向に変移させる電磁石と金属片で構成されることを特徴とする請求項２に記載の磁気ディスク装置。
【請求項５】
前記損傷付与手段が、カッターブレード部材でなることを特徴とする請求項１に記載の磁気ディスク装置。
【発明の詳細な説明】
【技術分野】
【０００１】
この発明は、例えばパーソナルコンピュータに記憶手段として搭載される磁気ディスク装置に関し、特に、当該磁気ディスクを搭載した電子機器を廃棄する際に磁気ディスク装置に記録されている情報の漏洩を防止することを目的として、記録媒体を機械的に破壊する手段を備えた磁気ディスク装置に関する。
【背景技術】
【０００２】
パーソナルコンピュータ（ＰＣ）においては、ＯＳ（Operating System）を始めとして各種アプリケーションソフト、およびそれらアプリケーションソフトで用いる各種データを蓄積する記憶手段として、磁気ディスクで構成されるＨＤ（Hard Disk）を媒体として適用した磁気ディスク装置が用いられている。
【０００３】
磁気ディスクは当然ながら不揮発性であり、一旦情報の書込みが実行された後は、削除あるいは上書き等の処理をしない限りその書き込まれた情報はそのまま残っている。
【０００４】
そこで、ユーザがコンピュータを新しく買い換えたり、あるいは磁気ディスク装置を交換したりして、今まで使っていた磁気ディスク装置を廃棄する場合、書き込まれている情報が外部に漏れないようにする措置を講じてから廃却することが一般に行なわれている。
【０００５】
その処置としては、ソフトウェアでブート領域を抹消したり、あるいはセクタ情報を書き換えたりしてアクセスできないようにするか、あるいはデータが書き込まれているデータ領域に意味のないデータを新たに書き込むようにすることが一般に行われる。
【０００６】
しかしながら、ブート領域を抹消したり、セクタ情報を書き換える処理は、情報そのものが抹消されたりあるいは書き換えられたりするものではなく、それを管理する情報を抹消したり、書き換えたりしているだけであるため、例えば市販のデータ復活ソフトや他のＯＳ等を利用することで、その情報をバイナリレベルで簡単に読み出すことができる。
【０００７】
また、データ領域に意味のないデータを書き込む処理では、例えば００ＨやＦＦＨを書き込むことになるが、昨今では大容量のＨＤＤ（Hard Disk Drive）が広く使われるようになっており処理に時間が掛かるという問題がある。例えば４０Ｇｂｙｔｅ（ギガバイト）のＨＤＤでは、全てのデータ領域にデータを書き込むには数時間を要する。
【０００８】
さらに、以上のようなソフトウェアによるデータ処理では、その処理が通常の処理とは異なるため、コンピュータによってウィルスによる被害であると認識されてしまうことがあり、ユーザあるいはコンピュータ管理者にとって負担となることがある。
【０００９】
さらに、他の方法として、ディスクを収容している筐体の外から、強力な磁気を加えて、ディスクに記録されている情報を消去するという方法もあるが、それによってディスクに記録されているサーボ制御用のデータまで消去されてしまうため、措置を施した後では、ディスクを駆動することができず本当に消去されたかどうか確認することができないという不具合がある。特に、大容量ＨＤＤでは、ディスクが多連装プラッタで構成されており、全てのプラッタに斑なく充分な磁界を掛けることは実際には困難である。また、一部のＨＤＤには、筐体を防磁素材で構成して外部の磁界からディスクを守るようにした仕様のものもあり、そのような製品に対しては、この方法は効果がない。
【００１０】
ディスクに書き込まれた情報を外部に漏れないようにする最も確実な方法は、ディスク装置を機械的に、完全に破壊してしまうことであるが、そのための装置を用意する必要があり、人力でハンマー等で叩き壊すことも可能であるが作業に危険を伴う。
【００１１】
磁気ディスクのデータ記録領域に、無意味なデータを記録することで磁気ディスクを廃棄できるようにした提案は例えば、特許文献１に開示されている。
【特許文献１】特開２００１−９２７１９号公報（第２頁、図１）
【発明の開示】
【発明が解決しようとする課題】
【００１２】
以上のように、従来、ディスク装置を廃棄する際に、書き込まれた情報を取り出せないようにする試みはいくつか提案されているが、ソフトウェアでブート領域を抹消したり、セクタ情報を書き換えたりする方法は、データ復活ソフト等で簡単に読み出すことができ、無意味なデータを書込む方法では処理に時間が掛かる。また強力な磁気によってデータを消去する方法は全てのデータを完全に消去することは困難であり、ディスク装置を機械的に破壊する方法では専用の装置が必要であったり、人力で行なう場合には危険が付きまとうという不具合があった。
【００１３】
本発明は、以上の点に対処してなされたものであり、ディスク装置のディスク（プラッタ）の磁性記録層に、当該磁性記録層に情報を書込み、読出しする磁気ヘッドあるいは専用に設けられたカッターブレードによって機械的損傷を与えることで、情報を読み出せなくするようにしたものである。
【課題を解決するための手段】
【００１４】
上記目的を達成するために本発明の一実施形態に係る磁気ディスク装置は、磁性記録層が設けられた磁気ディスクと、この磁気ディスクを回転駆動する磁気ディスク駆動手段と、前記ディスクの表面に対して所定間隔おいて対峙され、前記磁性記録層へ情報の書込みを行い、書き込まれた情報を読み出す磁気へッドと、前記磁気ディスクが前記磁気ディスク駆動手段によって回転駆動されている状態において、前記磁気ディスク表面に接触し、前記磁性記録層に対して損傷を与える損傷付与手段と、を具備したことを特徴とする。
【発明の効果】
【００１５】
本発明によれば、磁気ディスク装置の記録媒体であるディスク（プラッタ）の磁性記録層に、磁気ヘッドあるいはカッターブレードで損傷を与えるように構成したので、簡単にかつ確実に、記録された情報を読み出せないようにすることができるものである。
【発明を実施するための最良の形態】
【００１６】
以下、図面を参照しながら本発明の磁気ディスク装置について説明する。  
図１は本発明の磁気ディスク装置の一実施の形態の内部構成を示す斜視図である。図１において磁気ディスク装置１００は、図示しないスピンドルモータによって回転駆動される磁気ディスク１０１と、この磁気ディスク１０１に対して情報を書込み、かつ書き込まれている情報を読み出す磁気ヘッドを備えたヘッドアクチュエータ１０２と、図示しない、信号の書込みと読み出しを行なう回路系及びサーボ回路系を構成する回路構成部を有し、それらが筐体１０３に収容されている。
【００１７】
磁気ディスク１０１は、例えば３枚で構成され、それぞれスピンドルモータの回転軸に軸方向に所定間隔を空けて固定されている。各磁気ディスク１０１の両面には磁性記録層がそれぞれ形成されている。
【００１８】
ヘッドアクチュエータ１０２は、軸１０４に固定され、軸１０４と共に回動自在に配設されたキャリッジ１０５と、このキャリッジ１０５の先端に設けられたヘッドアーム１０６を有し、このヘッドアーム１０６の先に、磁気ヘッドが固定されている。さらに、キャリッジ１０５とヘッドアーム１０６は、磁気ディスク１０１の磁性記録層に対応して設けられており、磁気ディスク１０２が３枚で構成される場合には、６枚のヘッドアームが軸１０４に所定間隔をおいて取り付けられている。
【００１９】
ヘッドアクチュエータ１０２の軸１０４と反対側には、この軸１０４と共にヘッドアクチュエータ１０２を磁気ディスク１０１の面と平行な方向に駆動するためのボイスコイルモータのコイル１０７が設けられている。
【００２０】
ボイスコイルモータによって、ヘッドアクチュエータ１０２が、回転駆動されている磁気ディスク１０１の径方向の目的の位置に移動され、磁気ヘッドによる情報の書込みと、書き込まれた情報の読み出しが行なわれる。
【００２１】
本発明のヘッドアクチュエータ１０２は、ボイスコイルモータによって、磁気ディスク１０１の面と平行な方向に駆動される通常動作状態の他、磁気ディスク１０１の面と交わる方向に駆動される情報削除（損傷付与）動作状態を採るように構成されている。
【００２２】
図２は、ヘッドアクチュエータ１０２を、磁気ディスク１０１の面と交わる方向に駆動するための構成を簡単に示すものであり、ヘッドアクチュエータ１０２の軸１０４が、図中下方端部で回動支持軸２０１を介して支持部材２０２によって支持されている。
【００２３】
支持部材２０２は、回動支持軸２０１を支持し、かつ軸１０４の回動に伴って回動支持軸２０１が回動するのを案内する溝２０３が設けられている。さらに軸１０４には、回動支持軸２０１による回動量を規制する規制部材２０４が設けられている。
【００２４】
軸１０４は、この支持部材２０２によってヘッドアクチュエータ１０２を磁気ディスク１０１の面と平行な方向（Ｘ方向）に所定範囲で回動可能に支持されると共に、回動支持軸２０１によって、磁気ディスク１０１の面と交わる方向（Ｙ方向）に所定角度以内で回動可能に支持されている。
【００２５】
ヘッドアクチュエータ１０２の、Ｘ方向及びＹ方向への駆動は、ボイスコイルモータ部２０５によってなされる。ボイスコイルモータ部２０５には、図１に示すボイスコイルモータのコイル１０７が収納されている。
【００２６】
なお、図２において、ヘッドアーム１０６の先端には磁気ヘッド２０６が固定されている。図では、図中上方向から偶数枚目のヘッドアーム１０６のみに、磁気ヘッド２０６が取り付けられた状態が示されているが、当然ながら、奇数枚目には、図中下向きに磁気ヘッド２０６が固定されているが図では示していない。
【００２７】
図３は、ヘッドアクチュエータ１０２のＸ方向及びＹ方向への駆動によって、磁気ディスク１０１の磁性記録層に損傷を与える過程を説明するための図であり、説明を解りやすくするために模式的に示している。図３において、図１，２と同一構成部分に同一符号を付す。
【００２８】
図３において、磁気ディスク１０１は、スピンドルモータ３０１の軸３０２に所定間隔で固定されている。ヘッドアクチュエータ１０２の各ヘッドアーム１０６の先端には、磁気ディスク１０１の磁性記録層に対向するように磁気ヘッド２０６が取り付けられている。
【００２９】
情報の記録再生動作時においては、ボイスコイルモータのコイル１０７によって、ヘッドアクチュエータ１０２が磁気ディスク１０１の面と平行なＸ方向に移動される。このとき、磁気ディスク１０１がスピンドルモータ３０１によって高速回転していることによりディスク表面で空気乱流が発生するため、磁気ヘッド２０６は磁性ディスクの表面に対して２〜６μｍ程度浮遊した状態を保ち、その状態のまま面と平行な方向に移動しつつ、磁性記録層への情報の書込みと読み出しを実行する。
【００３０】
記録されている情報の破壊動作を行なうには、ユーザが外部から信号を入力して、ボイスコイルモータ部２０５を駆動し、ヘッドアクチュエータ１０２が固定されている軸１０４を回動支持軸２０１を中心にＹ方向に回動させて、ヘッドアーム１０６の磁気ヘッド２０６を磁気ディスク１０１の表面に所定の力で圧接させながら、ヘッドアクチュエータ１０２を磁気ディスク１０１の面と平行なＸ方向に移動させる。
【００３１】
磁気ディスク１０１が回転しているため、磁気ヘッド２０６が圧接している表面の（または表面付近に形成されている）磁性記録層がまず機械的に損傷を受けて情報を読み出すことが不可能な状態になる。さらに、磁気ヘッド１０６と接している部位で摩擦熱が発生し、その熱がキューリー温度を越えると磁気的な消去も実行されるようになる。それによって、磁性記録層が機械的かつ物理的に損傷を受けて、磁気ディスク１０１から情報を読み出すことができなくなるものである。
【００３２】
図４は、図３において、軸１０４を回動支持軸２０１を中心に傾けた状態を示すもので、図４（ａ）は磁気ディスク１０１の図中上面側の表面に磁気ヘッド２０６が当接している状態を示し、図４（ｂ）は磁気ヘッド２０６が磁気ディスク１０１の反対側の表面に圧接している状態を示している。
【００３３】
以上のように、本発明の磁気ディスク装置によれば、情報の書込み、読み出しを行なう磁気ヘッドを、磁気ディスクの表面に圧接させることで磁性記録層に対して機械的に損傷を与え、かつ、摩擦熱による磁気消去作用で物理的損傷を与えることによって、記録された情報が読み出されるのを簡単にかつ確実に阻止することができるものである。
【００３４】
なお、以上説明した実施の形態では、ヘッドアクチュエータ１０２が固定された軸１０４を傾けることで、磁気ヘッド２０６を磁気ディスク１０１の表面に圧接するようにしたが、ヘッドアクチュエータ１０２のヘッドアーム１０６を磁気ディスク１０１の面と交わる方向に駆動するように構成することも可能である。
【００３５】
図５は、電磁石によってヘッドアーム１０６を駆動して磁気ヘッド２０６を磁気ディスク１０１の表面に圧接するように構成した実施の形態を説明するための模式図である。
【００３６】
図５に示す実施の形態においては、それぞれの磁気ディスク１０１の両方の面に対向するように配置されているヘッドアーム１０６を一組として、各組のヘッドアーム１０６の間に電磁石５０１を設けると共に、ヘッドアーム１０６の対向する部位のそれぞれに例えば鉄板で構成される金属片５０２を配置している。
【００３７】
以上のような実施の形態において、記録されている情報の破壊動作を行なうには、ユーザが外部から信号を入力して、電磁石５０１に所定の電流を流すと磁界が発生して、金属片５０２が電磁石５０１に引き付けられることにより、各ヘッドアーム１０６の組において、ヘッドアーム１０６が互いに近付く方向に移動するようになる。それによって、図６に示すように、各磁気ヘッド２０６組が対応する磁気ディスク１０１の両表面に圧接するようになる。
【００３８】
磁気ディスク１０１が高速で回転しているため、磁性記録層が機械的に損傷を受けると共に、摩擦熱によって磁気消去作用が発生して物理的な損傷も与えられ、磁気ディスク１０１に記録されている情報が読み出し不可能な状態になるものである。
【００３９】
図５，６で示した実施の形態によれば、磁気ディスク１０１の両面に同時に磁気ヘッド２０６が圧接されるようになるため、一度の操作で両面の磁性記録層を機械的に破壊することができると共に、摩擦熱もより高いものとなり、磁気消去作用の効率を向上させることができるものである。
【００４０】
以上説明した実施の形態では、磁気ヘッド２０６を磁気ディスク１０１の表面に圧接するようにしているが、磁性記録層を破壊するための専用の構造を設けることで、より確実に破壊処理を実行するように構成することも可能である。
【００４１】
図７は、ヘッドアクチュエータ１０２とは別に、磁気ディスク１０１の磁性記録層を機械的に破壊するための、カッターブレード部材を設けた実施の形態を示す図である。図７において、図１と同一構成部分に同一符号を付す。
【００４２】
図７に示す磁気ディスク装置７００では、カッターブレード部材７０１が設けられており、このカッターブレード部材７０１は、先端にカッターブレード７０２が固定されたカッターアーム７０３を有し、軸７０４に回転自在に支持されている。
【００４３】
また、カッターアーム７０３には、当該カッターアーム７０３を軸７０４を中心に、磁気ディスク１０１の面と平行な方向に回動させるための駆動部７０５が取り付けられている。駆動部７０５は、例えばボイスコイルモータで構成することもできるし、あるいは、機械的な駆動力を生成するようなスプリングとギアを組合わせたものであってもよい。機械的に構成する場合には、機構を起動させるためのプランジャ等の電気部品が必要である。プランジャによって、スプリングに弾性力を発生させ、その弾性力でカッターアーム７０３を駆動するように構成することが可能である。
【００４４】
図８は、カッターブレード７０２によって、磁気ディスク１０１の磁性記録層に機械的損傷を付与する動作を説明するための模式図である。図８に示すように、カッターアーム７０３は、３枚の磁気ディスク１０１に対応して６本設けられている。それぞれのカッターアーム７０３は、その平面と直行する方向に所定の弾性を有しており、カッターアーム７０３が移動して、カッターブレード７０２が磁気ディスク１０１の縁に当接すると、カッターアーム７０３はその弾性によって変形し、カッターブレード７０２が磁気ディスク１０１の表面に乗り上げ、所定の弾性力で接するようになる。その結果、その乗り上げた部分の磁性記録層に機械的な傷をつけて、情報の読み出しができないようにする。
【００４５】
磁気ディスク１０１が回転している状態で、駆動部７０５によってカッターアーム７０３を、磁気ディスク１０１の面と平行する方向に移動することで、カッターブレード７０２が磁性記録層に損傷を与えながら移動し、データ記録領域全体の磁性記録層を破壊することになる。それと共に、磁気ディスク１０１がカッターブレード７０２との摩擦熱で発熱し磁気消去作用が働く。
【００４６】
以上のように、図７，８に示す実施の形態においては、磁気ディスク１０１の磁性記録層に傷を付けるカッターブレード７０２を設けて、このカッターブレード７０２でデータの記録領域の磁性記録層を情報の読み出しができないようにするものであるため、磁気ディスクの情報の破壊処理をより確実に行なうことができるものである。
【００４７】
以上のように、本発明の磁気ディスク装置によれば、筐体内に、磁気ディスクのデータ記録領域の磁性記録層に機械的及び物理的に損傷を与えて、情報の読み出しができないようにする損傷付与手段を設けたので、磁気ディスクの情報の破壊処理をより確実に実行することができるものである。
【００４８】
なお、本発明は、以上説明した実施の形態に限定されるものではなく、その趣旨を変更することなく種々実施可能である。
【図面の簡単な説明】
【００４９】
【図１】本発明の磁気ディスク装置の一実施の形態を示す斜視図。
【図２】図１に示す装置の要部の斜視図。
【図３】図１に示す装置の動作を説明するための図。
【図４】図１に示す装置の動作を説明するための図。
【図５】本発明の磁気ディスク装置の他の実施の形態を説明するための図。
【図６】図５に示す実施の形態の動作を説明するための図。
【図７】本発明のさらに他の実施の形態を説明するための図。
【図８】図７に示す実施の形態の動作を説明するための図。
【符号の説明】
【００５０】
１００，７００…磁気ディスク装置
１０１…磁気ディスク
１０２…ヘッドアクチュエータ
１０３…筐体
１０４…軸
１０５…キャリッジ
１０６…ヘッドアーム
１０７…ボイスコイルモータのコイル
２０１…支持軸
２０２…支持部材
２０３…案内溝
２０４…規制部材
２０５…ボイスコイルモータ部
２０６…磁気ヘッド
３０１…スピンドルモータ
３０２…軸
５０１…電磁石
５０２…金属片
７０１…カッターブレード部材
７０２…カッターブレード
７０３…カッターアーム
７０４…軸
７０５…駆動部
【図１】
2005158170.tif 000003
【図２】
2005158170.tif 000004
【図３】
2005158170.tif 000005
【図４】
2005158170.tif 000006
【図５】
2005158170.tif 000007
【図６】
2005158170.tif 000008
【図７】
2005158170.tif 000009
【図８】
2005158170.tif 000010